(57)【要約】【課題】簡易な構成でノイズの影響を低減することにより、受信性能の向上を図ることが可能な電力線通信装置を提供する。【解決手段】電力線通信装置１は、電力が供給される電力線を介して他の装置と通信を行なう。電力線通信装置１は、電力線を通して受けた電力および通信信号から通信信号を抽出し、かつ電力線を通して受けた電力および通信信号のうち、少なくとも通信信号を増幅する抽出増幅部２０２と、抽出増幅部２０２によって抽出かつ増幅された通信信号の処理を行なう通信信号処理部２０１と、抽出増幅部２０２および通信信号処理部２０１が実装され、抽出増幅部２０２と通信信号処理部２０１との間のノイズの伝達を制限するための制限部Ｂ１，Ｂ２が設けられた基板Ｂ２１とを備える。【選択図】図１
2010011136.tif 000002
【特許請求の範囲】
【請求項１】
電力が供給される電力線を介して他の装置と通信を行なう電力線通信装置であって、
前記電力線を通して受けた電力および通信信号から前記通信信号を抽出し、かつ前記電力線を通して受けた電力および通信信号のうち、少なくとも前記通信信号を増幅する抽出増幅部と、
前記抽出増幅部によって抽出かつ増幅された前記通信信号の処理を行なう通信信号処理部と、
前記抽出増幅部および前記通信信号処理部が実装され、前記抽出増幅部と前記通信信号処理部との間のノイズの伝達を制限するための制限部が設けられた基板とを備える電力線通信装置。
【請求項２】
前記抽出増幅部は、
前記電力線を通して受けた電力および通信信号から前記通信信号を抽出する抽出回路と、
前記電力線を通して受けた電力および通信信号のうち、少なくとも前記通信信号を増幅する増幅回路とを含み、
前記抽出回路および前記増幅回路は、前記抽出回路および前記増幅回路と前記通信信号処理部との距離に比べて近接して配置される請求項１に記載の電力線通信装置。
【請求項３】
前記基板は、
前記抽出増幅部が実装された第１の基板と、
前記第１の基板と間隔を隔てて配置され、前記通信信号処理部が実装された第２の基板とに分割され、
前記制限部は、前記第１の基板と前記第２の基板との間の空間により形成されている請求項１に記載の電力線通信装置。
【請求項４】
前記電力線通信装置は、さらに、
前記第１の基板に実装され、前記電力線を通して受けた交流電力を直流電力に変換するＡＣ／ＤＣコンバータを備える請求項３に記載の電力線通信装置。
【請求項５】
前記電力線通信装置は、さらに、
前記第２の基板に実装され、前記電力線を通して受けた交流電力を直流電力に変換するＡＣ／ＤＣコンバータを備える請求項３に記載の電力線通信装置。
【請求項６】
前記抽出増幅部は、
前記電力線を通して受けた電力および通信信号から前記通信信号を抽出する抽出回路と、
前記抽出回路によって抽出された通信信号を増幅して前記通信信号処理部へ出力する増幅回路とを含む請求項１に記載の電力線通信装置。
【請求項７】
前記抽出増幅部は、
前記電力線を通して受けた電力および通信信号を増幅して出力する増幅回路と、
前記増幅回路から受けた電力および通信信号から前記通信信号を抽出して前記通信信号処理部へ出力する抽出回路とを含む請求項１に記載の電力線通信装置。
【請求項８】
前記抽出増幅部は、
前記電力線を通して受けた電力および通信信号から前記通信信号を抽出する抽出回路と、
前記電力線を通して受けた電力および通信信号のうち、少なくとも前記通信信号を増幅する増幅回路と、
前記抽出回路によって抽出された通信信号のうち、所定の周波数帯域外の成分を減衰させるバンドパスフィルタとを含む請求項１に記載の電力線通信装置。
【請求項９】
前記抽出増幅部は、
前記電力線を通して受けた電力および通信信号から前記通信信号を抽出する抽出回路と、
前記電力線を通して受けた電力および通信信号のうち、少なくとも前記通信信号を増幅する増幅回路とを含み、
前記通信信号処理部は、前記抽出増幅部から受けた通信信号に基づいて制御信号を出力し、
前記増幅回路は、前記制御信号に基づいて増幅率を変更する請求項１に記載の電力線通信装置。
【請求項１０】
前記抽出増幅部は、
前記電力線を通して受けた電力および通信信号から前記通信信号を抽出する抽出回路と、
前記電力線を通して受けた電力および通信信号のうち、少なくとも前記通信信号を増幅する増幅回路とを含み、
前記通信信号処理部は、前記抽出増幅部から受けた通信信号に基づいて制御信号を出力し、
前記抽出回路はトランスを含み、前記制御信号に基づいて前記トランスの巻数比を変更する請求項１に記載の電力線通信装置。
【請求項１１】
前記制限部は、前記抽出増幅部と前記通信信号処理部とを分離するように前記抽出増幅部を覆う第１のシールド部材である請求項１に記載の電力線通信装置。
【請求項１２】
前記制限部は、前記抽出増幅部と前記通信信号処理部とを分離するように前記通信信号処理部を覆う第２のシールド部材である請求項１に記載の電力線通信装置。
【請求項１３】
前記制限部は、前記抽出増幅部と前記通信信号処理部とを分離するように前記抽出増幅部を覆う第１のシールド部材と、前記抽出増幅部と前記通信信号処理部とを分離するように前記通信信号処理部を覆う第２のシールド部材である請求項１に記載の電力線通信装置。
【請求項１４】
前記制限部は、前記抽出増幅部と前記通信信号処理部との間にかつ前記抽出増幅部の周囲を囲むように設けられた切り欠き部である請求項１に記載の電力線通信装置。
【請求項１５】
前記電力線通信装置は、さらに、
前記電力線からの電力および通信信号を受けるプラグと、
前記プラグが受けた前記電力および前記通信信号を前記抽出増幅部へ伝達するための信号電力線と、
前記信号電力線を通して受けた電力を変換するコンバータと、
前記コンバータによって変換された電力を前記抽出増幅部へ伝達するための内部電力線と、
前記抽出増幅部から前記通信信号処理部へ前記通信信号を伝達するための信号線とを備え、
前記制限部は、前記抽出増幅部と前記通信信号処理部との間にかつ前記抽出増幅部の周囲を囲むように設けられ、前記信号電力線、前記内部電力線および前記信号線が通る領域以外の領域が絶縁され、かつ前記基板を貫通する配線禁止領域である請求項１に記載の電力線通信装置。
【請求項１６】
前記基板は、前記通信信号処理部が実装された第１主表面と、前記抽出増幅部が実装された第２主表面とを有し、
前記制限部は、さらに、前記抽出増幅部が実装された前記第２主表面の領域に対応する前記第１主表面の領域を含むように設けられたグランドパターンである請求項１５に記載の電力線通信装置。
【請求項１７】
前記基板は、前記通信信号処理部が実装された第１主表面と、第２主表面とを有し、
前記制限部は、前記通信信号処理部が実装された前記第１主表面の領域に対応する前記第２主表面の領域を含み、かつ囲むように設けられたグランドパターンと、前記第１主表面において前記通信信号処理部を囲むように設けられたグランドパターンと、前記基板の複数の配線層において前記第１主表面の前記グランドパターンと対応する位置にそれぞれ設けられたグランドパターンである請求項１に記載の電力線通信装置。
【発明の詳細な説明】
【技術分野】
【０００１】
本発明は、電力線通信装置に関し、特に、ノイズ特性の改善を図る電力線通信装置に関する。
【背景技術】
【０００２】
電力線通信では、電力線を通してたとえば１．８ＭＨｚ〜３０ＭＨｚの通信信号を伝送することにより通信を行なう。
【０００３】
電力線通信装置は、電力線と直接接続されるため、電力線を介して受けるノイズの影響を大きく受け、受信性能が劣化する。通常、電力線通信装置では、このような受信性能の劣化を防ぐために、電力線を通して受けた受信信号を増幅する受信アンプが設けられる。
【０００４】
その一方で、電力線通信装置において受信性能を劣化させる他の原因として、ＣＰＵおよびメモリ等、電力線通信の通信信号よりも高速なデバイスが発する高周波ノイズがある。すなわち、ＣＰＵおよびメモリが実装された基板において受信アンプを用いて受信信号を増幅すると、ＣＰＵおよびメモリで用いられるクロック信号および高速データバスからの高周波ノイズが受信信号の信号線に入り込み、これらのノイズも増幅されてしまう。このため、Ｓ／Ｎ比が劣化してしまう。
【０００５】
このような高周波ノイズを低減するために、ＣＰＵおよびメモリ等を実装する基板において、高周波ノイズを低減するための部品の追加およびクロック波形を滑らかにする工夫を行なうことが考えられる。また、ＣＰＵおよびメモリ等を実装する基板において、グランドパターンの引き回しの改善、受信アンプのシールド、およびグランド分離を行なってノイズが受信アンプに入り込まない工夫を行なうことが考えられる。
【０００６】
しかしながら、設計段階でどのようなノイズが発生するかを予想することは非常に困難である。また、上記のような対策では、基板における他の部分に悪影響を与える恐れがある。たとえば、クロック波形を滑らかにした場合には、タイミングマージンが少なくなってしまう。また、グランドを分離した場合には、不要輻射が大きくなってしまう。また、部品を追加することにより大幅なコスト増加を招いてしまう。
【０００７】
ここで、電力線通信装置におけるノイズを低減する方法として、たとえば、特許文献１には、以下のような方法が開示されている。すなわち、スイッチング周波数の整数倍の周波数がキャリア周波数における通信品質を劣化させる周波数範囲内に含まれる際に、該周波数範囲内からスイッチング周波数の整数倍の周波数が外れるようにスイッチング周波数をずらす。これにより、スイッチング周波数の高調波とオフセットされたキャリア周波数とが干渉せず、電力線通信の受信品質の劣化を低減することができる。
【０００８】
また、特許文献２には、以下のような構成が開示されている。すなわち、電力線に接続された通信装置において、電力線の交流電圧の周期の１／２を超える期間の電力線に重畳したノイズにより信号劣化の時間変化を検出する手段と、該検出結果から周期性ノイズを判定する手段と、該周期性ノイズを避けるようにフレームを構成するスケジュール手段とを備える。
【０００９】
また、特許文献３には、以下のような構成が開示されている。すなわち、電力線を高周波信号の伝送媒体として共用する電力線搬送通信装置であって、スペクトラム拡散通信方式を用いた送信手段と、電力線からスペクトラム拡散された情報信号を抽出して復調する受信手段とからなり、受信手段は、通過周波数帯域の異なる複数のバンドパスフィルタと、複数のバンドパスフィルタの出力信号を、各バンドパスフィルタの通過周波数帯域に応じて増幅する複数の増幅手段と、複数の増幅手段の出力信号を逆拡散する複数の逆拡散手段と、複数の逆拡散手段の出力信号を復調する複数の復調手段と、複数の復調手段の出力信号の多数決を採って一つの復調データを出力する多数決手段とを含む。
【特許文献１】特開２００７−２２８４４０号公報
【特許文献２】特開２００７−２５８８９７号公報
【特許文献３】特開平９−２３１７４号公報
【発明の開示】
【発明が解決しようとする課題】
【００１０】
しかしながら、特許文献１記載の方法では、スイッチング電源ノイズ以外のノイズの影響を受けるため、受信性能の根本的な改善は困難であり、また、周波数制御が複雑になってしまう。また、特許文献２および３記載の構成では、電力線を介して受けるノイズ以外のノイズの影響を受けるため、受信性能の根本的な改善は困難である。
【００１１】
それゆえに、本発明の目的は、簡易な構成でノイズの影響を低減することにより、受信性能の向上を図ることが可能な電力線通信装置を提供することである。
【課題を解決するための手段】
【００１２】
上記課題を解決するために、この発明のある局面に係わる電力線通信装置は、電力が供給される電力線を介して他の装置と通信を行なう電力線通信装置であって、電力線を通して受けた電力および通信信号から通信信号を抽出し、かつ電力線を通して受けた電力および通信信号のうち、少なくとも通信信号を増幅する抽出増幅部と、抽出増幅部によって抽出かつ増幅された通信信号の処理を行なう通信信号処理部と、抽出増幅部および通信信号処理部が実装され、抽出増幅部と通信信号処理部との間のノイズの伝達を制限するための制限部が設けられた基板とを備える。
【００１３】
好ましくは、抽出増幅部は、電力線を通して受けた電力および通信信号から通信信号を抽出する抽出回路と、電力線を通して受けた電力および通信信号のうち、少なくとも通信信号を増幅する増幅回路とを含み、抽出回路および増幅回路は、抽出回路および増幅回路と通信信号処理部との距離に比べて近接して配置される。
【００１４】
好ましくは、基板は、抽出増幅部が実装された第１の基板と、第１の基板と間隔を隔てて配置され、通信信号処理部が実装された第２の基板とに分割され、制限部は、第１の基板と第２の基板との間の空間により形成されている。
【００１５】
より好ましくは、電力線通信装置は、さらに、第１の基板に実装され、電力線を通して受けた交流電力を直流電力に変換するＡＣ／ＤＣコンバータを備える。
【００１６】
より好ましくは、電力線通信装置は、さらに、第２の基板に実装され、電力線を通して受けた交流電力を直流電力に変換するＡＣ／ＤＣコンバータを備える。
【００１７】
好ましくは、抽出増幅部は、電力線を通して受けた電力および通信信号から通信信号を抽出する抽出回路と、抽出回路によって抽出された通信信号を増幅して通信信号処理部へ出力する増幅回路とを含む。
【００１８】
好ましくは、抽出増幅部は、電力線を通して受けた電力および通信信号を増幅して出力する増幅回路と、増幅回路から受けた電力および通信信号から通信信号を抽出して通信信号処理部へ出力する抽出回路とを含む。
【００１９】
好ましくは、抽出増幅部は、電力線を通して受けた電力および通信信号から通信信号を抽出する抽出回路と、電力線を通して受けた電力および通信信号のうち、少なくとも通信信号を増幅する増幅回路と、抽出回路によって抽出された通信信号のうち、所定の周波数帯域外の成分を減衰させるバンドパスフィルタとを含む。
【００２０】
好ましくは、抽出増幅部は、電力線を通して受けた電力および通信信号から通信信号を抽出する抽出回路と、電力線を通して受けた電力および通信信号のうち、少なくとも通信信号を増幅する増幅回路とを含み、通信信号処理部は、抽出増幅部から受けた通信信号に基づいて制御信号を出力し、増幅回路は、制御信号に基づいて増幅率を変更する。
【００２１】
好ましくは、抽出増幅部は、電力線を通して受けた電力および通信信号から通信信号を抽出する抽出回路と、電力線を通して受けた電力および通信信号のうち、少なくとも通信信号を増幅する増幅回路とを含み、通信信号処理部は、抽出増幅部から受けた通信信号に基づいて制御信号を出力し、抽出回路はトランスを含み、制御信号に基づいてトランスの巻数比を変更する。
【００２２】
好ましくは、制限部は、抽出増幅部と通信信号処理部とを分離するように抽出増幅部を覆う第１のシールド部材である。
【００２３】
好ましくは、制限部は、抽出増幅部と通信信号処理部とを分離するように通信信号処理部を覆う第２のシールド部材である。
【００２４】
好ましくは、制限部は、抽出増幅部と通信信号処理部とを分離するように抽出増幅部を覆う第１のシールド部材と、抽出増幅部と通信信号処理部とを分離するように通信信号処理部を覆う第２のシールド部材である。
【００２５】
好ましくは、制限部は、抽出増幅部と通信信号処理部との間にかつ抽出増幅部の周囲を囲むように設けられた切り欠き部である。
【００２６】
好ましくは、電力線通信装置は、さらに、電力線からの電力および通信信号を受けるプラグと、プラグが受けた電力および通信信号を抽出増幅部へ伝達するための信号電力線と、信号電力線を通して受けた電力を変換するコンバータと、コンバータによって変換された電力を抽出増幅部へ伝達するための内部電力線と、抽出増幅部から通信信号処理部へ通信信号を伝達するための信号線とを備え、制限部は、抽出増幅部と通信信号処理部との間にかつ抽出増幅部の周囲を囲むように設けられ、信号電力線、内部電力線および信号線が通る領域以外の領域が絶縁され、かつ基板を貫通する配線禁止領域である。
【００２７】
より好ましくは、基板は、通信信号処理部が実装された第１主表面と、抽出増幅部が実装された第２主表面とを有し、制限部は、さらに、抽出増幅部が実装された第２主表面の領域に対応する第１主表面の領域を含むように設けられたグランドパターンである。
【００２８】
好ましくは、基板は、通信信号処理部が実装された第１主表面と、第２主表面とを有し、制限部は、通信信号処理部が実装された第１主表面の領域に対応する第２主表面の領域を含み、かつ囲むように設けられたグランドパターンと、第１主表面において通信信号処理部を囲むように設けられたグランドパターンと、基板の複数の配線層において第１主表面のグランドパターンと対応する位置にそれぞれ設けられたグランドパターンである。
【発明の効果】
【００２９】
本発明によれば、簡易な構成でノイズの影響を低減することにより、受信性能の向上を図ることができる。
【発明を実施するための最良の形態】
【００３０】
以下、本発明の実施の形態について図面を用いて説明する。なお、図中同一または相当部分には同一符号を付してその説明は繰り返さない。
【００３１】
＜第１の実施の形態＞
図１は、本発明の第１の実施の形態に係る電力線通信装置の構成を示す機能ブロック図である。
【００３２】
図１を参照して、電力線通信装置１は、基板Ｂ２１と、通信信号処理部２０１と、抽出増幅部２０２と、ＡＣ／ＤＣコンバータ１０５と、プラグＰＬと、内部電力線ＰＬＮと、信号線ＳＬＮ１と、信号電力線ＭＬＮとを備える。通信信号処理部２０１は、ＣＰＵ（Central Processing Unit）１００と、メモリ１０１と、ＲＯＭ（Read Only Memory）１０２と、ＡＦＥ（Analog Front End）１０３とを含む。抽出増幅部２０２は、受信アンプ（増幅回路）１０４と、カップリングトランス（抽出回路）１０６とを含む。基板Ｂ２１は、制御基板Ｂ１と、電源基板Ｂ２とに分割される。本発明の第１の実施の形態に係る電力線通信装置では、制御基板Ｂ１および電源基板Ｂ２が、抽出増幅部２０２と通信信号処理部２０１との間のノイズの伝達を制限するための制限部に該当する。
【００３３】
ＣＰＵ１００と、メモリ１０１と、ＲＯＭ１０２と、ＡＦＥ１０３とが制御基板Ｂ１に実装されている。受信アンプ１０４と、ＡＣ／ＤＣコンバータ１０５と、カップリングトランス１０６とが電源基板Ｂ２に実装されている。
【００３４】
電力線通信装置１は、図示しない電力線を介して他の装置と通信を行なう。プラグＰＬは、図示しない電力線を通して交流電力および通信信号を受ける。信号電力線ＭＬＮは、プラグＰＬが受けた交流電力および通信信号を電源基板Ｂ２に伝達する。
【００３５】
ＡＣ／ＤＣコンバータ１０５は、プラグＰＬ経由で電力線から受けた交流電力を直流電力に変換し、制御基板Ｂ１および電源基板Ｂ２における各回路に供給する。内部電力線ＰＬＮは、ＡＣ／ＤＣコンバータ１０５から制御基板Ｂ１へ直流電力を伝達する。
【００３６】
抽出増幅部２０２は、プラグＰＬ経由で電力線から受けた電力および通信信号からの通信信号の抽出および増幅を行なう。すなわち、カップリングトランス１０６は、プラグＰＬを介して受けた電力および通信信号から通信信号を抽出し、受信アンプ１０４へ出力する。受信アンプ１０４は、カップリングトランス１０６から受けた通信信号を増幅して通信信号処理部２０１へ出力する。信号線ＳＬＮ１は、抽出増幅部２０２から通信信号処理部２０１へ通信信号を伝達する。
【００３７】
通信信号処理部２０１は、抽出増幅部２０２によって抽出かつ増幅された通信信号に対して種々の信号処理を行なう。すなわち、ＡＦＥ１０３は、受信アンプ１０４から受けたアナログ信号である通信信号に対してＯＦＤＭ復調処理を行ない、デジタル信号であるＯＦＤＭ復調信号をＣＰＵ１００へ出力する。ＣＰＵ１００は、ＲＯＭ１０２に記憶されているプログラムに基づいて動作し、ＡＦＥ１０３から受けたＯＦＤＭ復調信号の処理ならびにメモリ１０１に対するデータの書き込みおよび読み出しを行なう。
【００３８】
ここで、電力線通信における通信信号の周波数はたとえば１．８ＭＨｚ〜３０ＭＨｚである。この周波数に比べて、ＡＣ／ＤＣコンバータ１０５等の電源回路のノイズは、ｋＨｚオーダーのノイズであり、ＣＰＵ１００、メモリ１０１、ＲＯＭ１０２およびＡＦＥ１０３等が発する高周波ノイズと比べて通信信号に悪影響を及ぼさない。
【００３９】
本発明の第１の実施の形態に係る電力線通信装置は、抽出増幅部２０２と通信信号処理部２０１との間のノイズの伝達を制限するための制限部が設けられた基板Ｂ２１を備える。すなわち、基板Ｂ２１は制御基板Ｂ１および電源基板Ｂ２に分割され、制御基板Ｂ１と電源基板Ｂ２との間の空間により抽出増幅部２０２と通信信号処理部２０１との間のノイズの伝達が制限される。そして、受信アンプ１０４およびカップリングトランス１０６を、ＣＰＵ１００、メモリ１０１、ＲＯＭ１０２およびＡＦＥ１０３等の高周波ノイズを発するデバイスが実装された制御基板Ｂ１とは別の電源基板Ｂ２に実装させる。
【００４０】
従来の電力線通信装置では、通常、高密度実装をする必要のない部品を電源基板に配置することにより、製造コストの低減が図られる。しかしながら、本発明の第１の実施の形態に係る電力線通信装置では、高密度実装をする必要のある受信アンプ１０４をあえて電源基板に配置している。
【００４１】
このような構成により、高周波ノイズが受信アンプ１０４において増幅されることを防ぐことができるため、高周波ノイズの影響を受ける前に通信信号を増幅することができる。
【００４２】
図２（ａ）は、従来の電力線通信装置における通信信号レベルおよびノイズレベルを示す図である。図２（ｂ）は、本発明の第１の実施の形態に係る電力線通信装置における信号レベルおよびノイズレベルを示す図である。図２（ａ）および（ｂ）において、縦軸は信号強度であり、横軸は周波数であり、ＷＳは通信信号を示し、ＷＮは高周波ノイズを示す。
【００４３】
図２（ａ）を参照して、従来の電力線通信装置では、通信信号とともに高周波ノイズが増幅されてしまうため、Ｓ／Ｎ比が劣化してしまう。
【００４４】
これに対して、本発明の第１の実施の形態に係る電力線通信装置では、高周波ノイズが受信アンプ１０４において増幅されることを防ぐことができるため、図２（ｂ）に示すように良好なＳ／Ｎ比を得ることができる。
【００４５】
このように、本発明の第１の実施の形態に係る電力線通信装置では、高周波ノイズの影響を受ける前に通信信号をあらかじめ増幅することにより、通信信号と高周波ノイズとのレベル差を大きくし、Ｓ／Ｎ比を改善することができる。
【００４６】
また、本発明の第１の実施の形態に係る電力線通信装置では、ノイズ対策部品を削減することができるため、コストダウンを図ることができる。また、部品点数を削減できるため、実装コストの低減および小型化を図ることができる。また、従来の電力線通信装置では、受信性能を向上させるためにグランドパターンおよびノイズの輻射などについて知識およびノウハウが必要であった。しかしながら、本発明の第１の実施の形態に係る電力線通信装置では、これらの知識およびノウハウが無くても受信性能を改善することができる。
【００４７】
したがって、本発明の第１の実施の形態に係る電力線通信装置では、簡易な構成でノイズの影響を低減することにより、受信性能の向上を図ることができる。
【００４８】
また、本発明の第１の実施の形態に係る電力線通信装置では、カップリングトランス１０６および受信アンプ１０４が近接して配置されている。より詳細には、カップリングトランス１０６および受信アンプ１０４は、カップリングトランス１０６および受信アンプ１０４と通信信号処理部２０１との距離に比べて近接して配置されている。このような構成により、受信アンプ１０４が受ける通信信号の損失を低減することができ、受信性能をさらに向上させることができる。
【００４９】
次に、本発明の他の実施の形態について図面を用いて説明する。なお、図中同一または相当部分には同一符号を付してその説明は繰り返さない。
【００５０】
＜第２の実施の形態＞
本実施の形態は、第１の実施の形態に係る電力線通信装置と比べて各基板に実装される回路の内訳を変更した電力線通信装置に関する。以下で説明する内容以外は第１の実施の形態に係る電力線通信装置と同様である。
【００５１】
図３は、本発明の第２の実施の形態に係る電力線通信装置の構成を示す図である。
図３を参照して、電力線通信装置２は、本発明の第１の実施の形態に係る電力線通信装置と比べて、基板Ｂ２１の代わりに基板Ｂ２２を備える。また、電力線通信装置２は、本発明の第１の実施の形態に係る電力線通信装置と比べて、さらに、ＢＰＦ（バンドパスフィルタ）５０１を備える。基板Ｂ２２は、基板Ｂ３と、基板Ｂ４とに分割される。本発明の第２の実施の形態に係る電力線通信装置では、基板Ｂ３および基板Ｂ４が、抽出増幅部２０２と通信信号処理部２０１との間のノイズの伝達を制限するための制限部に該当する。
【００５２】
ＣＰＵ１００と、メモリ１０１と、ＲＯＭ１０２と、ＡＦＥ１０３と、ＡＣ／ＤＣコンバータ１０５とが基板Ｂ３に実装されている。受信アンプ１０４と、カップリングトランス１０６と、ＢＰＦ５０１とが基板Ｂ４に実装されている。
【００５３】
信号電力線ＭＬＮは、プラグＰＬが受けた交流電力および通信信号を基板Ｂ３および基板Ｂ４に伝達する。
【００５４】
ＡＣ／ＤＣコンバータ１０５は、プラグＰＬ経由で電力線から受けた交流電力を直流電力に変換し、基板Ｂ３および基板Ｂ４における各回路へ供給する。内部電力線ＰＬＮは、ＡＣ／ＤＣコンバータ１０５から基板Ｂ４へ直流電力を伝達する。
【００５５】
カップリングトランス１０６は、プラグＰＬを介して受けた電力および通信信号から通信信号を抽出し、ＢＰＦ５０１へ出力する。ＢＰＦ５０１は、カップリングトランス１０６から受けた通信信号のうち、所定の周波数帯域外の成分を減衰させる。受信アンプ１０４は、ＢＰＦ５０１を通過した通信信号を増幅して通信信号処理部２０１へ出力する。信号線ＳＬＮ１は、抽出増幅部２０２から通信信号処理部２０１へ通信信号を伝達する。
【００５６】
その他の構成および動作は第１の実施の形態に係る電力線通信装置と同様であるため、ここでは詳細な説明を繰り返さない。
【００５７】
このように、本発明の第２の実施の形態に係る電力線通信装置は、抽出増幅部２０２と通信信号処理部２０１との間のノイズの伝達を制限するための制限部が設けられた基板Ｂ２２を備える。すなわち、基板Ｂ２２は基板Ｂ３および基板Ｂ４に分割され、基板Ｂ３と基板Ｂ４との間の空間により抽出増幅部２０２と通信信号処理部２０１との間のノイズの伝達が制限される。そして、受信アンプ１０４およびカップリングトランス１０６を、ＣＰＵ１００、メモリ１０１、ＲＯＭ１０２およびＡＦＥ１０３等の高周波ノイズを発するデバイスが実装された基板Ｂ３とは別の基板Ｂ４に実装させる。このような構成により、高周波ノイズが受信アンプ１０４において増幅されることを防ぐことができる。
【００５８】
したがって、本発明の第２の実施の形態に係る電力線通信装置では、簡易な構成でノイズの影響を低減することにより、受信性能の向上を図ることができる。
【００５９】
また、本発明の第２の実施の形態に係る電力線通信装置では、カップリングトランス１０６および受信アンプ１０４間にＰＦ５０１を配置する。このような構成により、受信アンプ１０４が受けるノイズをさらに低減することができるため、受信性能をさらに向上させることができる。
【００６０】
次に、本発明の他の実施の形態について図面を用いて説明する。なお、図中同一または相当部分には同一符号を付してその説明は繰り返さない。
【００６１】
＜第３の実施の形態＞
本実施の形態は、第２の実施の形態に係る電力線通信装置と比べて一部の回路の配置順序を変更した電力線通信装置に関する。以下で説明する内容以外は第２の実施の形態に係る電力線通信装置と同様である。
【００６２】
図４は、本発明の第３の実施の形態に係る電力線通信装置の構成を示す図である。
図４を参照して、電力線通信装置３において、受信アンプ１０４は、プラグＰＬを介して受けた電力および通信信号を増幅してカップリングトランス１０６へ出力する。
【００６３】
カップリングトランス１０６は、受信アンプ１０４から受けた電力および通信信号から通信信号を抽出し、ＢＰＦ５０１へ出力する。ＢＰＦ５０１は、カップリングトランス１０６から受けた通信信号のうち、所定の周波数帯域外の成分を減衰させる。信号線ＳＬＮ１は、ＢＰＦ５０１から通信信号処理部２０１へ通信信号を伝達する。
【００６４】
その他の構成および動作は第２の実施の形態に係る電力線通信装置と同様であるため、ここでは詳細な説明を繰り返さない。
【００６５】
したがって、本発明の第３の実施の形態に係る電力線通信装置では、簡易な構成でノイズの影響を低減することにより、受信性能の向上を図ることができる。
【００６６】
また、本発明の第３の実施の形態に係る電力線通信装置では、ノイズの影響を受けやすいカップリングトランス１０６の前段に受信アンプ１０４を配置することにより、受信性能の向上を図ることができる。
【００６７】
次に、本発明の他の実施の形態について図面を用いて説明する。なお、図中同一または相当部分には同一符号を付してその説明は繰り返さない。
【００６８】
＜第４の実施の形態＞
本実施の形態は、第２の実施の形態に係る電力線通信装置と比べて通信信号のレベルを制御する機能を追加した電力線通信装置に関する。以下で説明する内容以外は第２の実施の形態に係る電力線通信装置と同様である。
【００６９】
図５は、本発明の第４の実施の形態に係る電力線通信装置の構成を示す図である。
図５を参照して、電力線通信装置４は、本発明の第２の実施の形態に係る電力線通信装置と比べて、さらに、信号線ＳＬＮ２およびＳＬＮ３を備える。
【００７０】
ＣＰＵ１００は、ＡＦＥ１０３から受けたＯＦＤＭ復調信号に基づいて、受信アンプ１０４およびカップリングトランス１０６へそれぞれ制御信号を出力する。
【００７１】
信号線ＳＬＮ２は、ＣＰＵ１００から受信アンプ１０４へ制御信号を伝達する。信号線ＳＬＮ３は、ＣＰＵ１００からカップリングトランス１０６へ制御信号を伝達する。
【００７２】
受信アンプ１０４は、ＣＰＵ１００から受けた制御信号に基づいてゲイン（増幅率）を変更する。受信アンプ１０４のゲインをコントロールする方法としては、たとえば、受信アンプ１０４に含まれるゲインを決める抵抗の比を可変にし、ＣＰＵ１００からこの抵抗比を制御することで受信アンプ１０４のゲインをコントロールできる。また、受信アンプ１０４にＡＧＣ（Auto Gain Control）回路が内蔵されているものを用いれば、より簡単にゲインを制御することができる。
【００７３】
カップリングトランス１０６は、ＣＰＵ１００から受けた制御信号に基づいてトランスの巻数比を変更する。トランスの巻線比を変更する方法としては、たとえば、カップリングトランス１０６が、異なる巻線比の複数のカップリングトランスと、アナログスイッチとを含み、アナログスイッチによって巻線比を選択する方法があげられる。トランスの巻線比を変更することにより、抽出される通信信号のレベルを変更することができる。
【００７４】
このように、受信アンプ１０４のゲインおよびカップリングトランス１０６の巻線比を変更することにより、高周波ノイズの影響を受けることなく、通信信号のレベルを制御することができる。たとえば、電力線通信装置４と、図示しない電力線を介して電力線通信装置４と接続される他の電力線通信装置との距離が近いときには通信信号のレベルを下げ、遠いときには通信信号のレベルを上げるなどの調整を行なうことができる。
【００７５】
その他の構成および動作は第２の実施の形態に係る電力線通信装置と同様であるため、ここでは詳細な説明を繰り返さない。
【００７６】
したがって、本発明の第４の実施の形態に係る電力線通信装置では、簡易な構成でノイズの影響を低減することにより、受信性能の向上を図ることができる。
【００７７】
次に、本発明の他の実施の形態について図面を用いて説明する。なお、図中同一または相当部分には同一符号を付してその説明は繰り返さない。
【００７８】
＜第５の実施の形態＞
本実施の形態は、第１の実施の形態に係る電力線通信装置と比べてシールド構造を追加した電力線通信装置に関する。以下で説明する内容以外は第１の実施の形態に係る電力線通信装置と同様である。
【００７９】
図６は、本発明の第５の実施の形態に係る電力線通信装置の構成を示す図である。
図６を参照して、電力線通信装置５は、本発明の第１の実施の形態に係る電力線通信装置と比べて、抽出増幅部２０２と通信信号処理部２０１との間のノイズの伝達を制限するための制限部として、さらに、シールド部材８０１を備える。
【００８０】
シールド部材８０１は、制御基板Ｂ１に設けられ、通信信号処理部２０１と抽出増幅部２０２とを分離するように通信信号処理部２０１を覆う。これにより、ＣＰＵ１００、メモリ１０１、ＲＯＭ１０２およびＡＦＥ１０３等によって発生した高周波ノイズの輻射を抑制し、高周波ノイズが受信アンプ１０４およびカップリングトランス１０６へ伝達されることを防ぐ。
【００８１】
その他の構成および動作は第１の実施の形態に係る電力線通信装置と同様であるため、ここでは詳細な説明を繰り返さない。
【００８２】
したがって、本発明の第５の実施の形態に係る電力線通信装置では、本発明の第１の実施の形態に係る電力線通信装置と比べて、さらに、ノイズの影響を低減することができ、受信性能の向上を図ることができる。
【００８３】
次に、本発明の他の実施の形態について図面を用いて説明する。なお、図中同一または相当部分には同一符号を付してその説明は繰り返さない。
【００８４】
＜第６の実施の形態＞
本実施の形態は、第１の実施の形態に係る電力線通信装置と比べてシールド構造を追加した電力線通信装置に関する。以下で説明する内容以外は第１の実施の形態に係る電力線通信装置と同様である。
【００８５】
図７は、本発明の第６の実施の形態に係る電力線通信装置の構成を示す図である。
図７を参照して、電力線通信装置６は、本発明の第１の実施の形態に係る電力線通信装置と比べて、抽出増幅部２０２と通信信号処理部２０１との間のノイズの伝達を制限するための制限部として、さらに、シールド部材８０２を備える。
【００８６】
シールド部材８０２は、電源基板Ｂ２に設けられ、通信信号処理部２０１と抽出増幅部２０２とを分離するように抽出増幅部２０２を覆う。これにより、制御基板Ｂ１におけるＣＰＵ１００、メモリ１０１、ＲＯＭ１０２およびＡＦＥ１０３等によって発生した高周波ノイズが電源基板Ｂ２における受信アンプ１０４およびカップリングトランス１０６へ伝達されることを防ぐ。
【００８７】
その他の構成および動作は第１の実施の形態に係る電力線通信装置と同様であるため、ここでは詳細な説明を繰り返さない。
【００８８】
したがって、本発明の第６の実施の形態に係る電力線通信装置では、本発明の第１の実施の形態に係る電力線通信装置と比べて、さらに、ノイズの影響を低減することができ、受信性能の向上を図ることができる。
【００８９】
次に、本発明の他の実施の形態について図面を用いて説明する。なお、図中同一または相当部分には同一符号を付してその説明は繰り返さない。
【００９０】
＜第７の実施の形態＞
本実施の形態は、第２の実施の形態に係る電力線通信装置と比べてシールド構造を追加した電力線通信装置に関する。以下で説明する内容以外は第２の実施の形態に係る電力線通信装置と同様である。
【００９１】
図８は、本発明の第７の実施の形態に係る電力線通信装置の構成を示す図である。
図８を参照して、電力線通信装置７は、本発明の第２の実施の形態に係る電力線通信装置と比べて、抽出増幅部２０２と通信信号処理部２０１との間のノイズの伝達を制限するための制限部として、さらに、シールド部材８０３および８０４を備える。
【００９２】
シールド部材８０３は、基板Ｂ３に設けられ、通信信号処理部２０１と抽出増幅部２０２とを分離するように通信信号処理部２０１を覆う。これにより、ＣＰＵ１００、メモリ１０１、ＲＯＭ１０２およびＡＦＥ１０３によって発生した高周波ノイズの輻射を抑制し、受信アンプ１０４、カップリングトランス１０６およびＢＰＦ５０１へ伝達されることを防ぐ。
【００９３】
シールド部材８０４は、基板Ｂ４に設けられ、通信信号処理部２０１と抽出増幅部２０２およびＢＰＦ５０１とを分離するように抽出増幅部２０２およびＢＰＦ５０１を覆う。これにより、基板Ｂ３におけるＣＰＵ１００、メモリ１０１、ＲＯＭ１０２およびＡＦＥ１０３等によって発生した高周波ノイズが基板Ｂ４における受信アンプ１０４、カップリングトランス１０６およびＢＰＦ５０１へ伝達されることを防ぐ。
【００９４】
その他の構成および動作は第２の実施の形態に係る電力線通信装置と同様であるため、ここでは詳細な説明を繰り返さない。
【００９５】
したがって、本発明の第７の実施の形態に係る電力線通信装置では、本発明の第２の実施の形態に係る電力線通信装置と比べて、さらに、ノイズの影響を低減することができ、受信性能の向上を図ることができる。
【００９６】
次に、本発明の他の実施の形態について図面を用いて説明する。なお、図中同一または相当部分には同一符号を付してその説明は繰り返さない。
【００９７】
＜第８の実施の形態＞
本実施の形態は、第１の実施の形態に係る電力線通信装置と比べて単一基板とした電力線通信装置に関する。以下で説明する内容以外は第１の実施の形態に係る電力線通信装置と同様である。
【００９８】
図９は、本発明の第８の実施の形態に係る電力線通信装置の構成を示す図である。
図９を参照して、電力線通信装置８は、基板Ｂ１１と、通信信号処理部２０１と、抽出増幅部２０２と、ＡＣ／ＤＣコンバータ１０５と、プラグＰＬと、信号線ＳＬＮ１と、信号電力線ＭＬＮと、内部電力線ＰＬＮとを備える。通信信号処理部２０１は、ＣＰＵ１００と、メモリ１０１と、ＲＯＭ１０２と、ＡＦＥ１０３とを含む。抽出増幅部２０２は、受信アンプ（増幅回路）１０４と、カップリングトランス（抽出回路）１０６とを含む。
【００９９】
ＣＰＵ１００と、メモリ１０１と、ＲＯＭ１０２と、ＡＦＥ１０３と、受信アンプ１０４と、ＡＣ／ＤＣコンバータ１０５と、カップリングトランス１０６とが基板Ｂ１１に実装されている。
【０１００】
基板Ｂ１１には、通信信号処理部２０１と抽出増幅部２０２との間にかつ受信アンプ１０４およびカップリングトランス１０６の周囲を囲むように切り欠き部３１〜３５が設けられている。切り欠き部３１〜３５により、抽出増幅部２０２と通信信号処理部２０１との間のノイズの伝達が制限されている。このような構成により、通信信号処理部２０１において発生した高周波ノイズが受信アンプ１０４へ伝達されることを防ぐことができる。
【０１０１】
したがって、本発明の第８の実施の形態に係る電力線通信装置では、単一基板であり、かつこの基板に切り欠き部を形成するだけの簡易な構成でノイズの影響を低減することができ、受信性能の向上を図ることができる。
【０１０２】
次に、本発明の他の実施の形態について図面を用いて説明する。なお、図中同一または相当部分には同一符号を付してその説明は繰り返さない。
【０１０３】
＜第９の実施の形態＞
本実施の形態は、第１の実施の形態に係る電力線通信装置と比べて単一基板とした電力線通信装置に関する。以下で説明する内容以外は第１の実施の形態に係る電力線通信装置と同様である。
【０１０４】
図１０は、本発明の第９の実施の形態に係る電力線通信装置の構成を示す図である。
図１０を参照して、電力線通信装置９は、基板Ｂ１２と、通信信号処理部２０１と、抽出増幅部２０２と、ＡＣ／ＤＣコンバータ１０５と、プラグＰＬと、信号線ＳＬＮ１と、信号電力線ＭＬＮと、内部電力線ＰＬＮとを備える。通信信号処理部２０１は、ＣＰＵ１００と、メモリ１０１と、ＲＯＭ１０２と、ＡＦＥ１０３とを含む。抽出増幅部２０２は、受信アンプ（増幅回路）１０４と、カップリングトランス（抽出回路）１０６とを含む。
【０１０５】
ＣＰＵ１００と、メモリ１０１と、ＲＯＭ１０２と、ＡＦＥ１０３と、受信アンプ１０４と、ＡＣ／ＤＣコンバータ１０５と、カップリングトランス１０６とが基板Ｂ１２に実装されている。
【０１０６】
基板Ｂ１２には、抽出増幅部２０２と通信信号処理部２０１との間のノイズの伝達を制限するための制限部として、配線禁止領域２１〜２３が設けられている。配線禁止領域２１〜２３は、通信信号処理部２０１と抽出増幅部２０２との間にかつ受信アンプ１０４およびカップリングトランス１０６の周囲を囲むように設けられ、信号線ＳＬＮ１、信号電力線ＭＬＮおよび内部電力線ＰＬＮが通る領域以外の領域が絶縁され、かつ基板Ｂ１２を貫通している。このような構成により、通信信号処理部２０１において発生した高周波ノイズが受信アンプ１０４へ伝達されることを防ぐことができる。
【０１０７】
したがって、本発明の第９の実施の形態に係る電力線通信装置では、単一基板であり、かつこの基板に配線禁止領域を設けるだけの簡易な構成でノイズの影響を低減することができ、受信性能の向上を図ることができる。
【０１０８】
次に、本発明の他の実施の形態について図面を用いて説明する。なお、図中同一または相当部分には同一符号を付してその説明は繰り返さない。
【０１０９】
＜第１０の実施の形態＞
本実施の形態は、第９の実施の形態に係る電力線通信装置と比べて配置を変更し、かつグランドパターンを追加した電力線通信装置に関する。以下で説明する内容以外は第９の実施の形態に係る電力線通信装置と同様である。
【０１１０】
図１１は、本発明の第１０の実施の形態に係る電力線通信装置の構成を示す概略平面図である。図１２は、本発明の第１０の実施の形態に係る電力線通信装置の構成を示す概略断面図である。
【０１１１】
図１１および図１２を参照して、電力線通信装置１０は、本発明の第９の実施の形態に係る電力線通信装置と比べて、基板Ｂ１２の代わりに基板Ｂ１３を備える。
【０１１２】
基板Ｂ１３は、ＣＰＵ１００、メモリ１０１、ＲＯＭ１０２、およびＡＦＥ１０３が実装された主表面Ｓ１と、受信アンプ１０４およびカップリングトランス１０６が実装された主表面Ｓ２とを有する。カップリングトランス１０６は、その足（リード）が基板Ｂ１３を貫通することにより、基板Ｂ１３に固定されている。
【０１１３】
基板Ｂ１３には、抽出増幅部２０２と通信信号処理部２０１との間のノイズの伝達を制限するための制限部として、配線禁止領域２１〜２３に加えて、グランドパターン４７〜４９が設けられている。すなわち、基板Ｂ１３の主表面Ｓ１には、主表面Ｓ２において受信アンプ１０４およびカップリングトランス１０６が実装された領域に対応する領域を含むようにグランドパターン４７〜４９が設けられている。主表面Ｓ１において、グランドパターン４７〜４９は、配線禁止領域２１〜２３に囲まれている。
【０１１４】
このような構成により、主表面Ｓ１におけるＣＰＵ１００、メモリ１０１、ＲＯＭ１０２およびＡＦＥ１０３等によって発生した高周波ノイズが主表面Ｓ２における受信アンプ１０４およびカップリングトランス１０６へ伝達されることを防ぐことができる。
【０１１５】
また、基板Ｂ１３には、抽出増幅部２０２と通信信号処理部２０１との間のノイズの伝達を制限するための制限部として、さらに、グランドパターン４１〜４６が設けられている。すなわち、ＣＰＵ１００、メモリ１０１、ＲＯＭ１０２、およびＡＦＥ１０３が実装された主表面Ｓ１の領域に対応する主表面Ｓ２の領域を含み、かつ囲むようにグランドパターン４１が設けられている。そして、基板Ｂ１３には、主表面Ｓ１においてＣＰＵ１００、メモリ１０１、ＲＯＭ１０２、およびＡＦＥ１０３を囲むグランドパターン４６が設けられている。そして、基板Ｂ１３は、グランドパターン４６と対応する位置にグランドパターン４２〜４５がそれぞれ設けられた複数の配線層を有する。
【０１１６】
このような構成により、ＣＰＵ１００、メモリ１０１、ＲＯＭ１０２、およびＡＦＥ１０３がグランドパターン４１〜４６で囲まれるため、ＣＰＵ１００、メモリ１０１、ＲＯＭ１０２およびＡＦＥ１０３によって発生した高周波ノイズの輻射を抑制し、高周波ノイズが受信アンプ１０４およびカップリングトランス１０６へ伝達されることを防ぐことができる。
【０１１７】
したがって、本発明の第１０の実施の形態に係る電力線通信装置では、本発明の第９の実施の形態に係る電力線通信装置と比べて、さらに、ノイズの影響を低減することができ、受信性能の向上を図ることができる。
【０１１８】
次に、本発明の他の実施の形態について図面を用いて説明する。なお、図中同一または相当部分には同一符号を付してその説明は繰り返さない。
【０１１９】
＜第１１の実施の形態＞
本実施の形態は、第９の実施の形態に係る電力線通信装置と比べてシールド構造を追加した電力線通信装置に関する。以下で説明する内容以外は第９の実施の形態に係る電力線通信装置と同様である。
【０１２０】
図１３は、本発明の第１１の実施の形態に係る電力線通信装置の構成を示す図である。
図１３を参照して、電力線通信装置１１は、本発明の第９の実施の形態に係る電力線通信装置と比べて、抽出増幅部２０２と通信信号処理部２０１との間のノイズの伝達を制限するための制限部として、さらに、シールド部材５１を備える。
【０１２１】
シールド部材５１は、基板Ｂ１２に設けられ、通信信号処理部２０１と抽出増幅部２０２とを分離するように通信信号処理部２０１を覆う。これにより、ＣＰＵ１００、メモリ１０１、ＲＯＭ１０２およびＡＦＥ１０３等によって発生した高周波ノイズの輻射を抑制し、高周波ノイズが受信アンプ１０４およびカップリングトランス１０６へ伝達されることを防ぐ。
【０１２２】
その他の構成および動作は第９の実施の形態に係る電力線通信装置と同様であるため、ここでは詳細な説明を繰り返さない。
【０１２３】
したがって、本発明の第１１の実施の形態に係る電力線通信装置では、本発明の第９の実施の形態に係る電力線通信装置と比べて、さらに、ノイズの影響を低減することができ、受信性能の向上を図ることができる。
【０１２４】
次に、本発明の他の実施の形態について図面を用いて説明する。なお、図中同一または相当部分には同一符号を付してその説明は繰り返さない。
【０１２５】
＜第１２の実施の形態＞
本実施の形態は、第９の実施の形態に係る電力線通信装置と比べてシールド構造を追加した電力線通信装置に関する。以下で説明する内容以外は第９の実施の形態に係る電力線通信装置と同様である。
【０１２６】
図１４は、本発明の第１２の実施の形態に係る電力線通信装置の構成を示す図である。
図１４を参照して、電力線通信装置１２は、本発明の第９の実施の形態に係る電力線通信装置と比べて、抽出増幅部２０２と通信信号処理部２０１との間のノイズの伝達を制限するための制限部として、さらに、シールド部材５２を備える。
【０１２７】
シールド部材５２は、基板Ｂ１２に設けられ、通信信号処理部２０１と抽出増幅部２０２とを分離するように抽出増幅部２０２を覆う。これにより、ＣＰＵ１００、メモリ１０１、ＲＯＭ１０２およびＡＦＥ１０３等によって発生した高周波ノイズが受信アンプ１０４およびカップリングトランス１０６へ伝達されることを防ぐ。
【０１２８】
従来の電力線通信装置では、通常、カップリングトランスなどの大きな部品はシールドしないことが多い。しかしながら、本発明の第１２の実施の形態に係る電力線通信装置では、カップリングトランス１０６をあえてシールドしている。
【０１２９】
その他の構成および動作は第９の実施の形態に係る電力線通信装置と同様であるため、ここでは詳細な説明を繰り返さない。
【０１３０】
したがって、本発明の第１２の実施の形態に係る電力線通信装置では、本発明の第９の実施の形態に係る電力線通信装置と比べて、さらに、ノイズの影響を低減することができ、受信性能の向上を図ることができる。
【０１３１】
次に、本発明の他の実施の形態について図面を用いて説明する。なお、図中同一または相当部分には同一符号を付してその説明は繰り返さない。
【０１３２】
＜第１３の実施の形態＞
本実施の形態は、第１１の実施の形態および第１２の実施の形態に係る電力線通信装置を組み合わせた電力線通信装置に関する。以下で説明する内容以外は第９の実施の形態に係る電力線通信装置と同様である。
【０１３３】
図１５は、本発明の第１３の実施の形態に係る電力線通信装置の構成を示す図である。
図１５を参照して、電力線通信装置１３は、本発明の第９の実施の形態に係る電力線通信装置と比べて、抽出増幅部２０２と通信信号処理部２０１との間のノイズの伝達を制限するための制限部として、さらに、シールド部材５１および５２を備える。
【０１３４】
シールド部材５１は、基板Ｂ１２に設けられ、通信信号処理部２０１と抽出増幅部２０２とを分離するように通信信号処理部２０１を覆う。これにより、ＣＰＵ１００、メモリ１０１、ＲＯＭ１０２およびＡＦＥ１０３等によって発生した高周波ノイズの輻射を抑制し、高周波ノイズが受信アンプ１０４およびカップリングトランス１０６へ伝達されることを防ぐ。
【０１３５】
シールド部材５２は、基板Ｂ１２に設けられ、通信信号処理部２０１と抽出増幅部２０２とを分離するように抽出増幅部２０２を覆う。これにより、ＣＰＵ１００、メモリ１０１、ＲＯＭ１０２およびＡＦＥ１０３等によって発生した高周波ノイズが受信アンプ１０４およびカップリングトランス１０６へ伝達されることを防ぐ。
【０１３６】
その他の構成および動作は第９の実施の形態に係る電力線通信装置と同様であるため、ここでは詳細な説明を繰り返さない。
【０１３７】
したがって、本発明の第１３の実施の形態に係る電力線通信装置では、本発明の第１１の実施の形態および第１２の実施の形態に係る電力線通信装置と比べて、さらに、ノイズの影響を低減することができ、受信性能の向上を図ることができる。
【０１３８】
次に、本発明の他の実施の形態について図面を用いて説明する。なお、図中同一または相当部分には同一符号を付してその説明は繰り返さない。
【０１３９】
＜第１４の実施の形態＞
本実施の形態は、第９の実施の形態に係る電力線通信装置と比べてフィルタを追加し、かつシールド構造を追加した電力線通信装置に関する。以下で説明する内容以外は第９の実施の形態に係る電力線通信装置と同様である。
【０１４０】
図１６は、本発明の第１４の実施の形態に係る電力線通信装置の構成を示す図である。
図１６を参照して、電力線通信装置１４は、本発明の第９の実施の形態に係る電力線通信装置と比べて、抽出増幅部２０２と通信信号処理部２０１との間のノイズの伝達を制限するための制限部として、さらに、シールド部材５３を備える。また、電力線通信装置１４は、ＢＰＦ（バンドパスフィルタ）５０１を備える。
【０１４１】
カップリングトランス１０６は、プラグＰＬを介して受けた電力および通信信号から通信信号を抽出し、ＢＰＦ５０１へ出力する。ＢＰＦ５０１は、カップリングトランス１０６から受けた通信信号のうち、所定の周波数帯域外の成分を減衰させる。受信アンプ１０４は、ＢＰＦ５０１を通過した通信信号を増幅して通信信号処理部２０１へ出力する。信号線ＳＬＮ１は、抽出増幅部２０２から通信信号処理部２０１へ通信信号を伝達する。
【０１４２】
シールド部材５３は、基板Ｂ１２に設けられ、通信信号処理部２０１と抽出増幅部２０２およびＢＰＦ５０１とを分離するように抽出増幅部２０２およびＢＰＦ５０１を覆う。これにより、ＣＰＵ１００、メモリ１０１、ＲＯＭ１０２およびＡＦＥ１０３等によって発生した高周波ノイズが受信アンプ１０４、カップリングトランス１０６およびＢＰＦ５０１へ伝達されることを防ぐ。
【０１４３】
従来の電力線通信装置では、通常、フィルタ回路のみをシールドすることはあるが、カップリングトランスおよびアンプを含めてシールドすることはない。しかしながら、本発明の第１４の実施の形態に係る電力線通信装置では、受信アンプ１０４、カップリングトランス１０６およびＢＰＦ５０１をあえてシールドしている。
【０１４４】
その他の構成および動作は第９の実施の形態に係る電力線通信装置と同様であるため、ここでは詳細な説明を繰り返さない。
【０１４５】
したがって、本発明の第１４の実施の形態に係る電力線通信装置では、本発明の第９の実施の形態に係る電力線通信装置と比べて、さらに、ノイズの影響を低減することができ、受信性能の向上を図ることができる。
【０１４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４７】
【図１】本発明の第１の実施の形態に係る電力線通信装置の構成を示す機能ブロック図である。
【図２】（ａ）は、従来の電力線通信装置における通信信号レベルおよびノイズレベルを示す図である。（ｂ）は、本発明の第１の実施の形態に係る電力線通信装置における信号レベルおよびノイズレベルを示す図である。
【図３】本発明の第２の実施の形態に係る電力線通信装置の構成を示す図である。
【図４】本発明の第３の実施の形態に係る電力線通信装置の構成を示す図である。
【図５】本発明の第４の実施の形態に係る電力線通信装置の構成を示す図である。
【図６】本発明の第５の実施の形態に係る電力線通信装置の構成を示す図である。
【図７】本発明の第６の実施の形態に係る電力線通信装置の構成を示す図である。
【図８】本発明の第７の実施の形態に係る電力線通信装置の構成を示す図である。
【図９】本発明の第８の実施の形態に係る電力線通信装置の構成を示す図である。
【図１０】本発明の第９の実施の形態に係る電力線通信装置の構成を示す図である。
【図１１】本発明の第１０の実施の形態に係る電力線通信装置の構成を示す概略平面図である。
【図１２】本発明の第１０の実施の形態に係る電力線通信装置の構成を示す概略断面図である。
【図１３】本発明の第１１の実施の形態に係る電力線通信装置の構成を示す図である。
【図１４】本発明の第１２の実施の形態に係る電力線通信装置の構成を示す図である。
【図１５】本発明の第１３の実施の形態に係る電力線通信装置の構成を示す図である。
【図１６】本発明の第１４の実施の形態に係る電力線通信装置の構成を示す図である。
【符号の説明】
【０１４８】
１〜１４  電力線通信装置、１００  ＣＰＵ、１０１  メモリ、１０２  ＲＯＭ、１０３  ＡＦＥ、１０４  受信アンプ（増幅回路）、１０５  ＡＣ／ＤＣコンバータ、１０６  カップリングトランス（抽出回路）、２０１  通信信号処理部、２０２  抽出増幅部、５０１  ＢＰＦ（バンドパスフィルタ）、５１，５２，５３，８０１〜８０４  シールド部材、Ｂ１  制御基板、Ｂ２  電源基板、Ｂ３，Ｂ４，Ｂ１１，Ｂ１２，Ｂ１３，Ｂ２１，Ｂ２２  基板、ＰＬ  プラグ、ＰＬＮ  内部電力線、ＳＬＮ１〜ＳＬＮ３  信号線、ＭＬＮ  信号電力線、Ｓ１，Ｓ２  主表面。
【図１】
2010011136.tif 000003
【図２】
2010011136.tif 000004
【図３】
2010011136.tif 000005
【図４】
2010011136.tif 000006
【図５】
2010011136.tif 000007
【図６】
2010011136.tif 000008
【図７】
2010011136.tif 000009
【図８】
2010011136.tif 000010
【図９】
2010011136.tif 000011
【図１０】
2010011136.tif 000012
【図１１】
2010011136.tif 000013
【図１２】
2010011136.tif 000014
【図１３】
2010011136.tif 000015
【図１４】
2010011136.tif 000016
【図１５】
2010011136.tif 000017
【図１６】
2010011136.tif 000018